(57)【要約】【目的】プリンタ側の処理を軽くし、印刷時間を短縮させることと、印刷するプリンタに最適化された展開データを準備することにより、プリンタの能力を１００％引き出す画像品位で印刷することができる印刷用画像データのダウンロード方法を提供すること。【構成】印刷用画像データのダウンロード方法は、Ｗｅｂ上の画像データを印刷する機能を有するものとする。ここで、印刷するためにダウンロードするデータは、一般的な画像フォーマットとして用いられるＪＰＥＧファイル等ではなく、印刷を実行するプリンタ装置がダウンロードしたデータを印刷するためにそのまま利用できる展開済みのＹＭＣデータ等である。【選択図】      図１
2004192185.tif 000002
【特許請求の範囲】
【請求項１】
Ｗｅｂ上の画像データを印刷する機能を有するプリンタ装置の印刷用画像データのダウンロード方法。
【請求項２】
印刷するためにダウンロードするデータは、一般的な画像フォーマットとして用いられるＪＰＥＧファイル等ではなく、印刷を実行するプリンタ装置がダウンロードしたデータを印刷するためにそのまま利用できる展開済みのＹＭＣデータ等であることを特徴とする請求項１記載の印刷用画像データのダウンロード方法。
【請求項３】
ダウンロードする展開済みのデータは、印刷実行時に使用プリンタの情報をＷｅｂへ通知し、Ｗｅｂ上でそのプリンタに応じた展開を行い、データを転送することを特徴とする請求項２記載の印刷用画像データのダウンロード方法。
【請求項４】
ダウンロードする展開済みのデータは、各種プリンタ用に予め準備しておき、通知された使用プリンタの展開済みデータが存在しない場合は使用プリンタ用の画像データの展開を行い、データを転送することを特徴とする請求項２記載の印刷用画像データのダウンロード方法。
【請求項５】
ダウンロードする展開済みのデータは、各種プリンタ用に予め準備しておき、通知された使用プリンタの展開済みデータが存在しない場合は、画像は印刷不可能であることをプリンタに通知する手段を有することを特徴とする請求項２記載の印刷用画像データのダウンロード方法。
【請求項６】
ダウンロードする展開済みデータは、各種プリンタ別に準備しておき、ユーザーは使用プリンタを通知することなく、該当プリンタのデータを選択してダウンロードすることを特徴とする請求項２記載の印刷用画像データのダウンロード方法。
【発明の詳細な説明】
【０００１】
【発明の属する技術分野】
本発明は、プリンタ装置、特にＷｅｂ上の画像を印刷する際に、ＪＰＥＧフォーマット等、一般的な画像データではなく、プリンタ装置が印刷するのに必要な展開済みのＹＭＣデータ等をダウンロードして印刷を行う機能を備えたプリンタ装置に関するものである。
【０００２】
【従来の技術】
従来、Ｗｅｂ上の画像データをダウンロードして印刷を行う場合は、一般的な画像フォーマットであるＪＰＥＧファイル等を用いていた。
【０００３】
一般的にダウンロードした画像データは、ＰＣではＰＣ本体にインストールされたプリンタドライバが、ＪＰＥＧデータから、実際にプリンタで印刷を行うときに必要なＹＭＣデータ等に展開を行いプリンタにデータを転送して印刷を行っている。上記データの展開には、
１．ＪＰＥＧファイル等圧縮されたデータの解凍
２．画像の大きさを、プリンタの用紙の大きさに合わせるための画像の拡大、縮小処理。
【０００４】
３．画像の回転
４．ＹＭＣデータへの変換
等の処理が含まれている。
【０００５】
【発明が解決しようとする課題】
しかしながら、上記従来の処理においては、画像の展開をＰＣにインストールされたプリンタドライバソフトウェアで行っていたので、これと同じことを携帯電話と携帯型プリンタ等、ＰＣと比較してパフォーマンスの低いハードウェアで行おうとすると、以下のような課題があった。
【０００６】
１．画像の展開を、ソフトウェアで処理するとハードウェアの能力（ＣＰＵの処理速度やメモリーの容量等）が高くないと多くの処理時間が掛かるため、ＰＣのハードウェアで行っていた処理をそのままハードウェアの能力がＰＣには劣る、携帯機器に移植すると、展開処理に時間が掛かってしまい、プリンタの能力を引き出す十分なパフォーマンスを得ることができない。
【０００７】
２．特に、携帯電話で見ることを前提に作られたＷｅｂページの画像を印刷する場合は、携帯電話の表示装置で表示される大きさの画像のため、そのまま印刷を行っても、画像データの情報が十分でないため、プリンタの能力を発揮する印刷ができない。
【０００８】
本発明は上記問題に鑑みてなされたもので、その目的とする処は、プリンタ側の処理を軽くし、印刷時間を短縮させることと、印刷するプリンタに最適化された展開データを準備することにより、プリンタの能力を１００％引き出す画像品位で印刷することができる印刷用画像データのダウンロード方法を提供することにある。
【０００９】
【課題を解決するための手段】
上記目的を達成するため、請求項１記載の発明は、Ｗｅｂ上の画像データを印刷する機能を有することを特徴とする。
【００１０】
請求項２記載の発明は、請求項１記載の発明において、印刷するためにダウンロードするデータは、一般的な画像フォーマットとして用いられるＪＰＥＧファイル等ではなく、印刷を実行するプリンタ装置がダウンロードしたデータを印刷するためにそのまま利用できる展開済みのＹＭＣデータ等であることを特徴とする。
【００１１】
請求項３記載の発明は、請求項２記載の発明において、ダウンロードする展開済みのデータは、印刷実行時に使用プリンタの情報をＷｅｂへ通知し、Ｗｅｂ上でそのプリンタに応じた展開を行い、データを転送することを特徴とする。
【００１２】
請求項４記載の発明は、請求項２記載の発明において、ダウンロードする展開済みのデータは、各種プリンタ用に予め準備しておき、通知された使用プリンタの展開済みデータが存在しない場合は使用プリンタ用の画像データの展開を行い、データを転送することを特徴とする。
【００１３】
請求項５記載の発明は、請求項２記載の発明において、ダウンロードする展開済みのデータは、各種プリンタ用に予め準備しておき、通知された使用プリンタの展開済みデータが存在しない場合は、画像は印刷不可能であることをプリンタに通知する手段を有することを特徴とする。
【００１４】
請求項６記載の発明は、請求項２記載の発明において、ダウンロードする展開済みデータは、各種プリンタ別に準備しておき、ユーザーは使用プリンタを通知することなく、該当プリンタのデータを選択してダウンロードすることを特徴とする。
【００１５】
【発明の実施の形態】
以下に本発明の実施の形態を添付図面に基づいて説明する。
【００１６】
＜実施の形態１＞
図１は本実施例を用いたプリンタ装置を最も簡単に表した図である。
【００１７】
１は携帯電話の表示装置であり、各種情報を表示させるために用いられるものであり、携帯電話でＷｅｂブラウスするときには、Ｗｅｂの情報を表示させるために用いる。２は携帯電話のキー入力装置であり、電話番号を入力するとき等に用いるテンキーと、各種設定キー、選択キーから構成される。
【００１８】
３は通信ケーブルであり、携帯電話と携帯プリンタとの間で情報を伝達するために用いるものであり、ここでやり取りされるデータには、プリンタから携帯電話に送信されるステイタス情報、携帯電話からプリンタに送信される印刷画像データ等がある。本実施の形態においては、携帯電話と携帯プリンタとの情報の伝達には通信ケーブルを用いているが、赤外線や電波を使ったワイヤレス通信を活用することも可能である。４は携帯プリンタ装置である。
【００１９】
図２は本実施の形態を用いたＷｅｂ上の画像を携帯プリンタで印刷する動作の流れを示した図である。
【００２０】
携帯電話を活用したＷｅｂブラウスは、携帯電話のキー入力装置と表示装置を使って行う。ユーザーは、本実施の形態を用いたデータ転送に対応したホームページの中から、印刷を行いたい画像を見つけ出して表示装置に表示させる。
【００２１】
画像を表示させて選択した後、携帯電話の印刷ボタンを押すと、携帯電話は、接続されている携帯プリンタの情報を調査する。ここでは、携帯プリンタが用紙切れ、インク切れ等なく印刷実行可能であるか、そして接続されているプリンタの型名等プリンタ自体の情報をプリンタから受け取る。
【００２２】
携帯電話と携帯プリンタとの通信が問題なく行える状態であり、プリンタ自体も印刷を実行できる準備ができていた場合、携帯電話は、接続されているプリンタの型名と印刷データダウンロード開始コマンドをＷｅｂページに送信する。
【００２３】
プリンタ情報、ダウンロード開始コマンドを受け取ったＷｅｂページは、Ｗｅｂ上に受信したプリンタ用の展開データが存在していた場合は、展開済みのデータを携帯電話に転送する。
【００２４】
ここで、Ｗｅｂ上に受信したプリンタ用の展開データが存在しなかった場合は、表示用画像データを展開して、プリンタ用のデータが作成できる場合は、即座に画像データの展開を行い展開済みのデータを携帯電話に転送する。
【００２５】
一方、受信したプリンタデータのデータがＷｅｂ上に存在しなく、プリンタドライバもないために表示用画像データの展開もできない場合は、データ転送することができないため、印刷することができないことを携帯電話に通知する。
【００２６】
携帯電話は、受信した接続されたプリンタ用に展開された画像データを加工したり、編集したりすることなくプリンタ装置にそのまま転送し、印刷を実行する。画像データが受信できず、印刷不可能が通知された場合は、印刷不可であることを携帯電話の表示装置等でユーザーに通知する。
【００２７】
＜実施の形態２＞
前記実施の形態１においては、画像の印刷を行うときに、使用プリンタをＷｅｂに通知し、Ｗｅｂページ側で使用プリンタを判別して、対象プリンタ用の展開済み画像データを転送するように構成していた。
【００２８】
本実施の形態としては、Ｗｅｂページ側で、予め使用プリンタごとに展開済み画像データを準備しておき、上記展開済み画像データのショートカットをＷｅｂ上に配置する。ユーザーは、現在接続されているプリンタを調査し、該当プリンタの展開済み画像データのショートカットを選択することにより、使用プリンタの情報をＷｅｂに通知することなく、展開済み画像データをダウンロードすることが可能となる。
【００２９】
【発明の効果】
以上解説したように、本発明によれば、Ｗｅｂ上の画像を印刷する場合に、Ｗｅｂ上の画像データそのものをダウンロードして、その画像データをプリンタ用の展開データに変換してから印刷を行うのではなく、使用プリンタに最適に展開された画像データをダウンロードして印刷するため、従来、携帯機器側で行っていた画像データの展開作業を省略することができ、携帯機器側のハードウェアに負荷を掛けないで印刷を行うことができる。従って、携帯機器のような、ＰＣと比較してパフォーマンスの低いハードウェアでも、画像展開に時間を掛けることなく、高速に印刷を行うことが可能である。
【００３０】
又、Ｗｅｂ上で予め使用プリンタに最適化した印刷用画像データを準備しておけるため、ユーザーが画像の状態に合わせてプリンタドライバの設定等、印刷用のパラメータを合わせる必要もなくなり、印刷ボタンを押すだけで、プリンタの能力を１００％引き出した印刷結果を出力することが可能である。
【図面の簡単な説明】
【図１】本発明の構成を説明する図である。
【図２】本発明に係る印刷用画像データのダウンロード方法の処理の流れを説明する図である。
【符号の説明】
１      表示装置
２      キー入力装置
３      通信ケーブル
４      携帯プリンタ
【図１】
2004192185.tif 000003
【図２】
2004192185.tif 000004